(57)【要約】【課題】  ディジタルデータが示す放送内容に正確に対応する情報を利用可能な受信機及びディジタル放送の電波送信方法を提供する。【解決手段】  ディジタルデータとしての楽曲情報で変調されるとともにＩＤデータが重畳されたディジタル放送用電波を受信する受信手段としてのアンテナ１及びチューナ２を備えた受信機１０であって、上述のＩＤデータは、楽曲情報に基づく楽曲を特定するためのデータであり、受信したディジタル放送用電波から得られるＩＤデータを記憶装置３に格納するための処理を実行する制御手段としてのＣＰＵ４を有する。この格納したＩＤデータを基に、楽曲情報が示す楽曲に正確に対応するＣＤＤＢを受信機１０で利用可能になる。【選択図】  図１
2007129372.tif 000002
【特許請求の範囲】
【請求項１】
ディジタルデータで変調されるとともにＩＤデータが重畳されたディジタル放送用電波を受信する受信手段を備えた受信機であって、
前記ＩＤデータは、前記ディジタルデータに基づく放送内容を特定するためのデータであり、
受信した前記ディジタル放送用電波から得られる前記ＩＤデータを格納するための処理を実行する制御手段を有することを特徴とする受信機。
【請求項２】
前記制御手段が、前記ＩＤデータを送信するための処理を実行することを特徴とする請求項１記載の受信機。
【請求項３】
前記制御手段が、前記ＩＤデータに基づき、該ＩＤデータに対応する、規格化された付随情報を示すサブデータを特定する処理を実行することを特徴とする請求項１記載の受信機。
【請求項４】
前記ディジタルデータは楽曲データであり、前記サブデータは、楽曲に関する規格化された付随情報を示すデータであることを特徴とする請求項３項記載の受信機。
【請求項５】
ディジタルデータで変調した電波に、該ディジタルデータに基づく放送内容を特定するためＩＤデータを重畳し、該電波を送信するディジタル放送の電波送信方法。
【発明の詳細な説明】
【技術分野】
【０００１】
本発明は、受信機及びディジタル放送の電波送信方法に関する。
【背景技術】
【０００２】
近年、ディジタル放送が実用化されている。ディジタル放送としては、映像を音声とともに放送するディジタル衛星放送のほか、ディジタル地上放送や、主に移動体向けに楽曲、簡易画像、データ等、多チャンネルのサービスを提供することを目的とした衛星ディジタル音声放送が既に開始されており、２００６年には、地上ディジタル音声放送も開始される予定である。係る趨勢のもと、ディジタル放送に関して利用者の立場からの利便性を向上させる種々の技術が提案されている。例えば、特許文献１では、以下に示す技術が提案されている。
【０００３】
特許文献１が提案する番組情報記憶装置は、受信手段と、記録属性記憶手段と、選別手段と、記憶手段とを有し、これら各構成は以下に示す機能を有している。受信手段は、ディジタル衛星放送により、少なくともその番組の１つの属性を示す属性情報とともに供給される番組情報を受信する。また、属性情報記憶手段は、利用者が記録すべき番組の持つ属性を指定すると、指定された属性を属性情報として記憶する。選別手段は、受信した番組情報の中から、属性情報記憶手段が記憶した属性情報と一致する属性情報に対応する番組情報を選別する。記憶手段は、選別手段によって選別された番組情報を各々の属性情報と対応付けて記憶する。上述の特許文献１が提案する番組情報記憶装置によれば、利用者がディジタル衛星放送により供給される数多くの番組の中から所望の番組を容易に選択し、その内容を享受することが可能である。
【０００４】
【特許文献１】特開平１０−２４１２２８号公報
【発明の開示】
【発明が解決しようとする課題】
【０００５】
ところで、放送中の楽曲の曲名やアーティスト名を文字列情報として放送信号に重畳し、受信機で復調信号を記録するときに同時に曲名やアーティスト名を記録する放送サービス形態が一般的に実用化されている。この放送サービス形態によれば、利用者は放送されていた楽曲の曲名などを知ることが可能である。しかしながら、楽曲にはシングル版、オリジナルアルバム版、ベストアルバム版、ライブ版、各国語版など様々な種類が存在することもあり、また、文字列情報は常に正確とは限らず、スペルやアポストロフィーの有無などが不正確である場合もある。したがって、上述の放送サービス形態では、利用者が楽曲に付随する情報を知りたい場合に、これら付随情報を正確に特定することができないという問題がある。
【０００６】
本発明は上記課題に鑑みてなされたものであり、ディジタルデータが示す放送内容に正確に対応する情報を利用可能な受信機及びディジタル放送の電波送信方法を提供することを目的とする。
【課題を解決するための手段】
【０００７】
上記課題を解決するために、本発明は、ディジタルデータで変調されるとともにＩＤデータが重畳されたディジタル放送用電波を受信する受信手段を備えた受信機であって、前記ＩＤデータは、前記ディジタルデータに基づく放送内容を特定するためのデータであり、受信した前記ディジタル放送用電波から得られる前記ＩＤデータを格納するための処理を実行する制御手段を有することを特徴とする。本発明によれば、格納されたＩＤデータを基に、放送内容に正確に対応する情報を利用可能になる。
【０００８】
また、本発明は、前記制御手段が、前記ＩＤデータを送信するための処理を実行してもよい。本発明の受信機が有する制御手段が、ＩＤデータとＩＤデータに対応する情報とを有する送信先にＩＤデータを送信する処理を実行することによって、利用者は放送内容に対応する正確な情報を送信先から入手することが可能である。これによって、放送内容に正確に対応する情報を利用可能になる。
【０００９】
また、本発明は、前記制御手段が、前記ＩＤデータに基づき、該ＩＤデータに対応する、規格化された付随情報を示すサブデータを特定する処理を実行してもよい。受信機がＩＤデータに対応するサブデータを有している場合には、本発明の受信機が有する制御手段によりサブデータを特定可能である。これによって、放送内容に正確に対応する付随情報を利用可能になる。
【００１０】
また、本発明は、前記ディジタルデータは楽曲データであり、前記サブデータは、楽曲に関する規格化された付随情報を示すデータであってもよい。例えば、サブデータとしてＣＤＤＢ（CD Data Base）を活用することが可能である。
【００１１】
また、本発明は、ディジタルデータで変調した電波に、該ディジタルデータに基づく放送内容を特定するためＩＤデータを重畳し、該電波を送信するディジタル放送の電波送信方法である。
【発明の効果】
【００１２】
本発明によれば、ディジタルデータが示す放送内容に正確に対応する情報を利用可能な受信機及びディジタル放送の電波送信方法を提供できる。
【発明を実施するための最良の形態】
【００１３】
以下、本発明を実施するための最良の形態を図面と共に詳細に説明する。
【００１４】
図１は、本実施例に係る受信機１０の構成を示す図である。アンテナ１は、ディジタル放送用電波（以下、単に電波という）を受信するための構成である。本実施例のディジタル放送はディジタル音声放送であり、これは衛星ディジタル音声放送であってもよく、地上ディジタル音声放送であってもよい。但し、ディジタル放送はディジタル音声放送に限られず、映像を音声とともに放送するディジタル衛星放送やディジタル地上放送であってもよい。また、本実施例では、後述する楽曲情報で変調されている電波にはＩＤデータが重畳されている。このＩＤデータは、楽曲を特定するためのデータである。
【００１５】
チューナ２は、ディジタル音声放送の放送局が放送する放送情報を選択的に取り込むための構成である。ここで、放送情報とは、ディジタル音声放送の各チャンネルより提供される番組の内容を構成する情報であり、ディジタルのオーディオ信号を圧縮符号化したものである。この放送情報には楽曲情報が含まれており、楽曲情報は、楽曲をディジタル録音して得られるディジタルオーディオ信号を圧縮符号化した情報である。本実施例ではこの楽曲情報が楽曲データである。また、本実施例ではアンテナ１とチューナ２とで受信手段を実現している。チューナ２は、楽曲情報で変調されている電波を復調する際に、楽曲情報とともにＩＤデータを取得する。
【００１６】
記憶装置３は、種々のデータを格納するための構成であり、例えば後述するＣＰＵ（Central Processing Unit：中央演算処理装置）４の制御の基、受信した電波から得られるＩＤデータを格納する。本実施例では、記憶装置３にハードディスクドライブを適用しているが、これに限らず、例えばＵＳＢ（Universal Serial Bus）メモリなどを適用することも可能である。
【００１７】
ＣＰＵ４は、バスを介し接続される装置各部を制御するための構成である。このＣＰＵ４は、ＲＯＭ（Read Only Memory）５に記憶された所定の制御プログラムに基づき種々の処理を実行する。本実施例では、このＣＰＵ４で制御手段を実現している。ＲＡＭ（Random Access Memory）６は、ＣＰＵ４が制御プログラムを実行するときのワークエリアを提供するための構成である。このＲＡＭ６は、チューナ２より取り込まれるＩＤデータを一時記憶する受信用バッファとしても用いられる。
【００１８】
サウンドシステム７は、供給されるディジタルオーディオ信号をＤ／Ａ（ディジタル／アナログ）変換して得られるアナログオーディオ信号に対応した音をスピーカより発生させるための構成である。ＣＰＵ４は、記憶記憶３から楽曲情報を読み出し、これを伸長処理して得られるディジタルオーディオ信号をサウンドシステム７へ供給する。これにより、楽曲が再生される。
【００１９】
操作部８は、操作者が各種操作・設定を入力するための構成である。本実施例では、操作部８は、図示しない表示部と一体に形成されたタッチパネル式の入力装置として構成されている。但し、これに限らず、リモートコントローラ装置やコントロールパネル等のように個別に構成されていても良い。更には、音声入力用のマイクロフォン等で構成されてもよい。また、各種操作としては、例えばチューナ２の受信チャンネルのスキャンなどがある。この操作部８は、入力操作に対応した信号を出力する。
【００２０】
通信モデム９はデータ送受のために受信機１０が有するアプリケーションと、インターネットに接続されたＩＳＰ（Internet Service Provider）との間の２方向通信リンクを確立させるための構成である。通信モデム９が２方向通信リンクを確立することで、受信機１０でインターネットを介して後述するサーバ４０や音楽配信サイト５０とのデータ送受信を可能にしている。この通信モデム９は一般電話回線に接続されており、受信機１０はダイアルアップによりインターネットへ接続される。但しダイアルアップによる接続に限らず、常時接続であってもよい。また、通信モデム９は、一般電話回線に限らず、例えば携帯電話機に接続されてもよい。上述のアプリケーションはプログラムでＲＯＭ５に記述されており、ＣＰＵ３はこのアプリケーションに基づき、ＩＤデータをサーバ４０や音楽配信サイト５０に送信する処理を実行する。
【００２１】
上述した構成で、次に本実施例に係る受信機１０を利用したディジタル音声放送のサービス形態を図２、図３及び図４に示す模式図を用いて詳述する。また、これらの図ではディジタル音声放送の電波送信方法も示している。図２は、受信機１０がＣＤＤＢを有している場合の、ディジタル音声放送のサービス形態を模式的に示す図である。ＣＤＤＢ管理会社２０は、ＣＤＤＢ及びＩＤデータを製作、管理する会社である。ＣＤＤＢ管理会社２０は、放送局３０に対してＩＤデータを提供する。また、ＣＤＤＢ管理会社２０は、受信機１０に対してＣＤＤＢを提供する。ＣＤＤＢの提供を受けた受信機１０は、記憶装置３にＣＤＤＢを格納する。
【００２２】
放送局３０は、楽曲情報で変調した電波にＩＤデータを重畳して送信する。この電波を受信した受信機１０では、ＣＰＵ４が受信した電波から得られたＩＤデータを記憶装置４に格納する処理を実行する。より具体的には、ＣＰＵ４は、上述の処理によりこの記憶装置４の記憶領域に設けられたコンテンツデータベース（以下、単にコンテンツＤＢと称す）にＩＤデータを格納する。この処理に伴い、ＣＰＵ４は電波に重畳された曲名データをコンテンツＤＢに格納する処理も実行する。このコンテンツＤＢには、ＩＤデータと曲名データとが関連付けられた状態で格納される。なお、この曲名データは一般的な放送で電波に重畳されているデータである。放送で流れた楽曲について詳しい情報を知るために、利用者が操作部８により曲名を表示させると、このコンテンツＤＢの曲名データに基づいて表示部に曲名が表示される。
【００２３】
利用者が操作部８で曲名を選択した場合には、ＣＰＵ４は選択された曲名に対応するＩＤデータをコンテンツＤＢから取得し、ＩＤデータに対応するＣＤＤＢを特定する処理を実行する。ＣＤＤＢが特定されると、ＣＰＵ４はＣＤＤＢが示す情報を表示部に表示させる。この情報としては、図２に示すように例えば放送された楽曲が含まれるアルバム名、リリース年月日、作曲者、ジャケット画像などがある。本実施例では、このＣＤＤＢが楽曲に関する規格化された付随情報を示すサブデータである。これによって、利用者は放送された楽曲に正確に対応する付随情報を知ることが可能である。
【００２４】
図３は、サーバがＣＤＤＢを有している場合の、ディジタル音声放送のサービス形態を模式的に示す図である。この場合、ＣＤＤＢ管理会社２０は、放送局３０に対してＩＤデータを提供するが、受信機１０に対しては、ＣＤＤＢを提供しない。
【００２５】
図２に示す場合と同様、放送局３０は、楽曲情報で変調した電波にＩＤデータを重畳して送信する。この電波を受信した受信機１０では、ＣＰＵ４が電波から得られたＩＤデータをコンテンツＤＢに格納する処理を実行する。この処理に伴い、ＣＰＵ４は電波に重畳された曲名データをコンテンツＤＢに格納する処理も実行する。放送で流れた楽曲について詳しい情報を知るために、利用者が操作部８により曲名を表示させると、このコンテンツＤＢの曲名データに基づいて表示部に曲名が表示される。
【００２６】
利用者が操作部８で曲名を選択した場合には、ＣＰＵ４は選択された曲名に対応するＩＤデータを、インターネットを介してサーバ４０に送信する処理を実行する。ＩＤデータを受信したサーバ４０は、ＩＤデータに基づきＣＤＤＢを特定する処理を実行する。ＣＤＤＢが特定されると、サーバ４０はＣＤＤＢを受信機１０に送信する処理を実行する。受信機１０がＣＤＤＢを受信すると、ＣＰＵ４は、ＣＤＤＢが示す情報を表示部に表示させる。これによって、利用者は放送された楽曲に正確に対応する付随情報を知ることが可能である。
【００２７】
図４は、音楽配信サイト５０がＣＤＤＢを有している場合の、ディジタル音声放送のサービス形態を模式的に示す図である。この場合、ＣＤＤＢ管理会社２０は、放送局３０と音楽配信サイト５０とに対してＩＤデータを提供する。
【００２８】
図２、図３に示す場合と同様、放送局３０は、楽曲情報で変調した電波にＩＤデータを重畳して送信する。この電波を受信した受信機１０では、ＣＰＵ４が電波から得られたＩＤデータをコンテンツＤＢに格納する処理を実行する。この処理に伴い、ＣＰＵ４は電波に重畳された曲名データをコンテンツＤＢに格納する処理も実行する。放送で流れた楽曲について詳しい情報を知るために、利用者が操作部８により曲名を表示させると、このコンテンツＤＢの曲名データに基づいて表示部に曲名が表示される。
【００２９】
利用者が操作部８で曲名を選択した場合には、ＣＰＵ４は選択された曲名に対応するＩＤデータを、インターネットを介して音楽配信サイト５０に送信する処理を実行する。ＩＤデータを受信した音楽配信サイト５０は、ＩＤデータに基づき、正確に対応する音楽ファイルを特定する処理を実行する。なお、本実施例では、音楽ファイルは放送された楽曲を含むアルバム単位のファイルである。音楽ファイルが特定されると、音楽配信サイト５０は音楽ファイルを受信機１０に送信する処理を実行する。受信機１０が音楽ファイルをダウンロード（受信）すると、ＣＰＵ４は、音楽ファイルをコンテンツＤＢに保存（格納）する。これによって、利用者は放送された楽曲に正確に対応する音楽ファイルを入手することが可能である。
【００３０】
なお、ディジタル音声データに基づく放送内容は楽曲に限られず、例えばイベント開催情報などであってもよい。この場合、例えばサーバからより詳細な情報を入手することも可能である。また、ディジタル放送がディジタル衛星放送やディジタル地上放送である場合には、例えば放送されるコンサート映像やミュージックビデオを特定するためのＩＤデータが、これらを放送内容とする電波に重畳されるようにすることも可能である。この場合、放送を受信した受信機で、このＩＤデータを基により詳細な情報を入手することが可能である。以上により、ディジタルデータが示す放送内容に正確に対応する情報を利用可能な受信機１０及びディジタル放送の電波送信方法を実現可能である。
【００３１】
上述した実施例は本発明の好適な実施の例である。但し、これに限定されるものではなく、本発明の要旨を逸脱しない範囲内において種々変形実施可能である。
【図面の簡単な説明】
【００３２】
【図１】本実施例に係る受信機１０の構成を示す図である。
【図２】受信機１０がＣＤＤＢを有している場合の、ディジタル音声放送のサービス形態を模式的に示す図である。
【図３】サーバがＣＤＤＢを有している場合の、ディジタル音声放送のサービス形態を模式的に示す図である。
【図４】音楽配信サイト５０がＣＤＤＢを有している場合の、ディジタル音声放送のサービス形態を模式的に示す図である。
【符号の説明】
【００３３】
１  アンテナ
２  チューナ
３  記憶装置
４  ＣＰＵ
５  ＲＯＭ
６  ＲＡＭ
７  サウンドシステム
８  操作部
９  通信モデム
１０  受信機
２０  ＣＤＤＢ管理会社
３０  放送局
４０  サーバ
５０  音楽配信サイト
【図１】
2007129372.tif 000003
【図２】
2007129372.tif 000004
【図３】
2007129372.tif 000005
【図４】
2007129372.tif 000006